(57)【要約】      （修正有）【課題】液体流出による配線の短絡等を防止することができるカートリッジケース、液体噴射ヘッドユニット及びその製造方法、並びに液体噴射装置を提供する。【解決手段】液体噴射ヘッド１０と、液体噴射ヘッドに駆動信号を供給する配線基板４０と、液体カートリッジ２０が装着されるカートリッジケース１２とを備え、カートリッジケースには、液体カートリッジが装着されるカートリッジ装着部１１と、配線基板が装着される基板装着部１５とを設け、カートリッジ装着部から基板装着部に達するまで流出可能な流出液体の流出経路に、流出液体を吸収する吸収材８０が撥液性を有する撥液層７０を介して保持された液体トラップ部９０を設ける。【選択図】図１
2007175988.tif 000002
【特許請求の範囲】
【請求項１】
ノズル開口から液体を噴射する液体噴射ヘッドが装着されるヘッド装着部と、前記液体噴射ヘッドに接続されて前記液体噴射ヘッドに駆動信号を供給する配線基板が装着される基板装着部と、前記液体噴射ヘッドに液体を供給する液体カートリッジが装着されるカートリッジ装着部とを有すると共に、前記カートリッジ装着部から前記基板装着部に達するまで流出可能な流出液体の流出経路が存在し、前記流出液体の流出経路には、前記流出液体を吸収する吸収材が撥液性を有する撥液層を介して保持された液体トラップ部が設けられていることを特徴とするカートリッジケース。
【請求項２】
ノズル開口から液体を噴射する液体噴射ヘッドと、前記液体噴射ヘッドに接続されて前記液体噴射ヘッドに駆動信号を供給する配線基板と、前記液体噴射ヘッド及び前記配線基板が装着されると共に液体カートリッジが装着されるカートリッジケースとを備え、前記カートリッジケースには、前記液体カートリッジが装着されるカートリッジ装着部と、前記配線基板が装着される基板装着部とが設けられると共に、前記カートリッジ装着部から前記基板装着部に達するまで流出可能な流出液体の流出経路が存在し、前記流出液体の流出経路には、前記流出液体を吸収する吸収材が撥液性を有する撥液層を介して保持された液体トラップ部が設けられていることを特徴とする液体噴射ヘッドユニット。
【請求項３】
前記吸収材が前記撥液層を介して設けられる空間部、前記カートリッジ装着部、及び前記基板装着部のそれぞれは、相互に隣り合う部分となるように壁部によって区画され、前記カートリッジ装着部の前記壁部で画成された角部と前記空間部の前記壁部で画成された角部と前記基板装着部とが前記壁部を介して隣接し、前記壁部を介して前記カートリッジ装着部の角部と前記空間部の角部とを結んだ経路が前記流出液体の流出経路となり、前記吸収材は、前記壁部で区画された前記空間部内に前記撥液層を介して設けられていることを特徴とする請求項２記載の液体噴射ヘッドユニット。
【請求項４】
前記吸収材は、前記空間部に対して少なくとも一部が接合されているか又は圧入により固定化されていることを特徴とする請求項３記載の液体噴射ヘッドユニット。
【請求項５】
請求項２〜４の何れかに記載の液体噴射ヘッドユニットを備えたものであることを特徴とする液体噴射装置。
【請求項６】
ノズル開口から液体を噴射する液体噴射ヘッドと、前記液体噴射ヘッドに接続されて前記液体噴射ヘッドに駆動信号を供給する配線基板と、前記液体噴射ヘッドが装着されるヘッド装着部、前記配線基板が装着される基板装着部、液体カートリッジが装着されるカートリッジ装着部が設けられたカートリッジケースとを有すると共に前記カートリッジケースに前記カートリッジ装着部から前記基板装着部に達するまで流出可能な流出液体の流出経路が存在し且つ前記流出液体の流出経路の一部が壁部で区画された空間部となった液体噴射ヘッドユニットの前記空間部に、撥液成分を含有する撥液剤を含浸した吸収材を未乾燥状態で搭載することを特徴とする液体噴射ヘッドユニットの製造方法。
【発明の詳細な説明】
【技術分野】
【０００１】
本発明は、例えば、インクジェット式記録ヘッド等の液体噴射ヘッドに供給する液体を貯留した液体カートリッジが装着されるカートリッジケース、このカートリッジケースを有する液体噴射ヘッドユニット及びその製造方法、並びにこの液体噴射ヘッドユニットを搭載した液体噴射装置に関する。
【背景技術】
【０００２】
カートリッジケースを有する液体噴射ヘッドユニットとしては、例えば、インクカートリッジを搭載可能なケースヘッドと、インクを吐出するヘッドを搭載したヘッドユニットとで構成されたインクジェット式記録ヘッドユニットが知られている（例えば、特許文献１参照）。このインクジェット式記録ヘッドにおいては、ケースヘッドに配線基板が搭載され、この配線基板の周囲に囲繞壁を設けることで、漏出インクが配線基板に付着することを防止した構造となっている。また、ケースヘッドの配線基板が保持された部分の両側には、壁部で囲まれた底部を有するフレームベース部が設けられている。さらに、ヘッドケースのインクカートリッジに差し込まれるインク供給針の周囲にも、壁部が設けられている。
【０００３】
このようなインクジェット式記録ヘッドユニットでは、ケースヘッドに設けられたインク供給針に対して繰り返しインクカートリッジを着脱（抜き差し）すると、インク供給針の周囲にインクが流れ出すことがある。そして、インクカートリッジから流出したインクは、インク供給針の周囲に設けられた壁部と底部との角部（隅部）に沿って流れ、隣接する壁部で画成された略垂直の角部を表面張力により上昇し、壁部を超えてフレームベース部に流れることがある。また、フレームベース部に流れ込んだインクは、同様に底部と壁部との角部に沿って流れ、表面張力により略垂直の角部を上昇して壁部（囲繞壁）を越えて配線基板が搭載された部分に流れ、これがインクの流出経路となって、最終的には、配線基板にインクが付着し、配線基板の配線が短絡等するという問題が発生する虞がある。
【０００４】
なお、このような問題は、インクを吐出するインクジェット式記録ヘッドだけではなく、勿論、インク以外の液体を噴射する他の液体噴射ヘッドにおいても同様に存在する。
【０００５】
【特許文献１】特開２００４−１２２５１７号公報（第１及び第３図）
【発明の開示】
【発明が解決しようとする課題】
【０００６】
本発明は上述した事情に鑑み、液体流出による配線の短絡等を防止することができるカートリッジケース、液体噴射ヘッドユニット及びその製造方法、並びに液体噴射装置を提供することを課題とする。
【課題を解決するための手段】
【０００７】
上記課題を解決するための本発明の第１の態様は、ノズル開口から液体を噴射する液体噴射ヘッドが装着されるヘッド装着部と、前記液体噴射ヘッドに接続されて前記液体噴射ヘッドに駆動信号を供給する配線基板が装着される基板装着部と、前記液体噴射ヘッドに液体を供給する液体カートリッジが装着されるカートリッジ装着部とを有すると共に、前記カートリッジ装着部から前記基板装着部に達するまで流出可能な流出液体の流出経路が存在し、前記流出液体の流出経路には、前記流出液体を吸収する吸収材が撥液性を有する撥液層を介して保持された液体トラップ部が設けられていることを特徴とするカートリッジケースにある。
かかる第１の態様では、カートリッジ装着部に対して液体カートリッジの着脱を繰り返し行う際にカートリッジ装着部から基板装着部に達するまで流出可能な流出液体の流出経路に液体トラップ部を設け、流出液体の流れを液体トラップ部の撥液層によって初期段階で塞き止めると共に、撥液層を介して流出する液体を吸収材で吸収するようにしたので、カートリッジケースに装着される配線基板に液体が付着することがなく、配線が短絡等するのを有効に防止することができる。
【０００８】
本発明の第２の態様は、ノズル開口から液体を噴射する液体噴射ヘッドと、前記液体噴射ヘッドに接続されて前記液体噴射ヘッドに駆動信号を供給する配線基板と、前記液体噴射ヘッド及び前記配線基板が装着されると共に液体カートリッジが装着されるカートリッジケースとを備え、前記カートリッジケースには、前記液体カートリッジが装着されるカートリッジ装着部と、前記配線基板が装着される基板装着部とが設けられると共に、前記カートリッジ装着部から前記基板装着部に達するまで流出可能な流出液体の流出経路が存在し、前記流出液体の流出経路には、前記流出液体を吸収する吸収材が撥液性を有する撥液層を介して保持された液体トラップ部が設けられていることを特徴とする液体噴射ヘッドユニットにある。
かかる第２の態様では、カートリッジ装着部に対して液体カートリッジの着脱を繰り返し行う際にカートリッジ装着部から基板装着部に達するまで流出可能な流出液体の流出経路に液体トラップ部を設け、流出液体の流れを液体トラップ部の撥液層によって初期段階で塞き止めると共に、撥液層を介して流出する液体を吸収材で吸収するようにしたので、カートリッジケースに装着される配線基板に液体が付着することがなく、配線が短絡等するのを有効に防止することができる。これにより、液体噴射ヘッドユニットの信頼性を向上することができる。
【０００９】
本発明の第３の態様は、前記吸収材が前記撥液層を介して設けられる空間部、前記カートリッジ装着部、及び前記基板装着部のそれぞれは、相互に隣り合う部分となるように壁部によって区画され、前記カートリッジ装着部の前記壁部で画成された角部と前記空間部の前記壁部で画成された角部と前記基板装着部とが前記壁部を介して隣接し、前記壁部を介して前記カートリッジ装着部の角部と前記空間部の角部とを結んだ経路が前記流出液体の流出経路となり、前記吸収材は、前記壁部で区画された前記空間部内に前記撥液層を介して設けられていることを特徴とする第２の態様の液体噴射ヘッドユニットにある。
かかる第３の態様では、カートリッジ装着部及び空間部の壁部によって画成された角部と基板装着部とが壁部を介して隣接した構造において、液体が角部に沿って表面張力により流出可能な流出経路の一部となる空間部に、撥液層を介して吸収材が搭載されて液体トラップ部が設けられているので、配線基板に液体が付着することがなく、配線が短絡等するのを有効に防止することができる。
【００１０】
本発明の第４の態様は、前記吸収材は、前記空間部に対して少なくとも一部が接合されているか又は圧入により固定化されていることを特徴とする第３の態様の液体噴射ヘッドユニットにある。
かかる第４の態様では、空間部から吸収材が外れることがなく、流出液体のトラップ効果を長期に亘って維持することができる。
【００１１】
本発明の第５の態様は、第２〜４の何れかの態様の液体噴射ヘッドユニットを備えたものであることを特徴とする液体噴射装置にある。
かかる第５の態様では、信頼性に優れた液体噴射装置を実現することができる。
【００１２】
本発明の第６の態様は、ノズル開口から液体を噴射する液体噴射ヘッドと、前記液体噴射ヘッドに接続されて前記液体噴射ヘッドに駆動信号を供給する配線基板と、前記液体噴射ヘッドが装着されるヘッド装着部、前記配線基板が装着される基板装着部、液体カートリッジが装着されるカートリッジ装着部が設けられたカートリッジケースとを有すると共に前記カートリッジケースに前記カートリッジ装着部から前記基板装着部に達するまで流出可能な流出液体の流出経路が存在し且つ前記流出液体の流出経路の一部が壁部で区画された空間部となった液体噴射ヘッドユニットの前記空間部に、撥液成分を含有する撥液剤を含浸した吸収材を未乾燥状態で搭載することを特徴とする液体噴射ヘッドユニットの製造方法にある。
かかる第６の態様では、撥液剤を含浸した吸収材を未乾燥状態で空間部に搭載し、吸収材から空間部の内面に撥液剤を転写することにより、空間部の内面に撥液成分からなる撥液層を形成することにより、撥液層を形成する作業効率を向上することができる。
【発明を実施するための最良の形態】
【００１３】
以下、本発明を実施形態に基づいて詳細に説明する。
図１は、本発明の一実施形態に係るカートリッジケース及びインクジェット式記録ヘッドユニットの概略構成を示す上面図及びＡ−Ａ′断面図であり、図２は、図１（ａ）のＢ−Ｂ′断面図である。また、図３及び図４は、図１のカートリッジケースの要部拡大概略斜視図である。図示するように、本実施形態のインクジェット式記録ヘッドユニット１０は、複数のインクカートリッジ２０が装着可能なカートリッジ装着部１１が設けられたカートリッジケース１２を具備する。また、図１（ｂ）及び図２に示すように、カートリッジケース１２の底部、すなわち、カートリッジ装着部１１側である上端部とは反対側の下端部には、ノズル開口３１からインク滴を吐出するインクジェット式記録ヘッド３０が装着されたヘッド装着部１３が設けられている。さらに、カートリッジケース１２には、図１（ａ）及び図２に示すように、このインクジェット式記録ヘッド３０に対して駆動信号を供給する配線基板４０が装着されている。
【００１４】
ここで、カートリッジケース１２のカートリッジ装着部１１には、図１（ｂ）に示すように、装着されるインクカートリッジ２０内のインクをインクジェット式記録ヘッド３０に供給するインク供給経路１４が各インクカートリッジ２０に対応して設けられている。また、カートリッジ装着部１１の底面１１ａには、各インク供給経路１４のインク供給口１４ａが開口しており、各インク供給口１４ａには、各インク供給針５０が装着される。すなわち、このインク供給針５０がインクカートリッジ２０に差し込まれることで、インクカートリッジ２０の内部とインク供給経路１４とが連通し、インクカートリッジ２０内のインクがインク供給経路１４を介してインクジェット式記録ヘッド３０に供給されるようになっている。
【００１５】
また、本実施形態のカートリッジケース１２には、このようなカートリッジ装着部１１に隣接して基板装着部１５が設けられている。この基板装着部１５は、カートリッジ装着部１１側の上部が開口部１５ａとなった箱形状を有しており、この内部に、配線基板４０が設置されている。また、図２に示すように、基板装着部１５の底部１５ｂには、配線基板４０が嵌合する貫通部１６が設けられ、基板装着部１５の底部１５ｂ側からは、配線基板４０の端部が貫通部１６を介して露出している。この配線基板４０の露出する端部には、ＦＰＣ等のフレキシブルプリント配線板６０の一端が接続され、フレキシブルプリント配線板６０の他端は、インクジェット式記録ヘッド３０に接続されている。すなわち、インクジェット式記録ヘッド３０と配線基板４０とは、このフレキシブルプリント配線板６０を介して電気的に接続されており、配線基板４０からの駆動信号がフレキシブルプリント配線板６０を介してインクジェット式記録ヘッド３０に送信可能となっている。
【００１６】
このような構造のインクジェット式記録ヘッドユニット１０では、カートリッジケース１２の上端部側に位置するカートリッジ装着部１１の周囲が壁部１００によって区画されている。具体的には、各インク供給針５０（インク供給口１４ａ）が並設された部分の周囲を囲むように壁部１００が設けられている。このようなカートリッジ装着部１１には、図３に示すように、壁部１００によって画成された角部２００が形成されている。また、カートリッジケース１２には、カートリッジ装着部１１のインク供給針５０の並設方向の両端部近傍で且つ基板装着部１５の両側に、壁部１００で囲まれて底面１７ａを有する箱型形状の空間部１７が設けられている。このような空間部１７においても、壁部１００によって画成された角部２００が形成されている。ここでいう「壁部１００によって画成された角部２００」とは、例えば、図３に示すようなカートリッジ装着部１１及び空間部１７において、隣り合う壁部１００によって画成されると共に底面１１ａ、１７ａに対して直行する方向に沿って形成された角部２００ａ、壁部１００と底面１１ａ、１７ａとで画成されると共に底面１１ａ、１７ａの縁に沿って形成された角部（隅部）２００ｂを含むものである。
【００１７】
そして、本実施形態では、カートリッジケース１２の上端部側は、カートリッジ装着部１１、基板装着部１５及び空間部１７のそれぞれが壁部１００によって区画され、カートリッジ装着部１１の空間部１７側の角部２００ａと、空間部１７のカートリッジ装着部１１側の角部２００ａとが隣接し、基板装着部１５の両側に空間部１７が設けられているため、空間部１７の壁部１００で画成された角部２００ａが基板装着部１５に隣接した形状となっている。
【００１８】
ここで、図１（ｂ）に示すように、カートリッジ装着部１１のインク供給針５０に対してインクカートリッジ２０を繰り返し着脱（抜き差し）すると、インク供給針５０の外周面に沿ってインクが流出することがある。そして、インクカートリッジ２０から流出したインクは、後述する空間部１７に撥液層及び吸収材を設けていない状態では、図３に示すように、カートリッジ装着部１１の底面１１ａと壁部１００との角部２００ｂに沿って流れ、カートリッジ装着部１１の空間部１７側の略垂直の角部２００ａに達し、その角部２００ａに沿って表面張力により壁部１００を乗り越え、空間部１７に侵入することがある。また、空間部１７に侵入したインクは、カートリッジ装着部１１から空間部１７に侵入するインクの流出経路と同様に、空間部１７の底面１７ａと壁部１００との角部２００ｂに沿って流れると共に、空間部１７の基板装着部１５側の略垂直の角部２００ａに沿って表面張力により壁部１００を乗り越え、最終的に配線基板４０に接触することがある。すなわち、壁部１００を介してカートリッジ装着部１１及び空間部１７の角部２００（２００ａ及び２００ｂ）を結んだ経路が、カートリッジ装着部１１から基板装着部１５に達するまでインクが流出可能な流出経路となっている。
【００１９】
そして、本実施形態では、図１（ａ）、図２及び図４に示すように、このようなカートリッジ装着部１１から基板装着部１５に達するまで流出可能な流出インクの流出経路の一部となる空間部１７にはインクに対して撥液性を有する撥液成分からなる撥液層７０を介して吸収材８０が配置されている。これにより、撥液層７０を介して吸収材８０が一体的に設けられた空間部１７が、インクトラップ部９０となる。
【００２０】
ここで、このようなインクトラップ部９０は、本実施形態では、撥液成分を含有する撥液剤を含浸した吸収材８０を未乾燥状態で搭載することにより形成される。具体的には、まず、撥液剤を吸収材８０に含浸させた後、撥液剤が乾燥する前に、その吸収材８０を空間部１７に搭載する。これにより、空間部１７内では、図２に示すように、吸収材８０から空間部１７の内面（底面１７ａ及び側面１７ｂ）に撥液剤が転写され、その後の乾燥により、撥液剤に含まれる撥液成分からなる撥液層７０が空間部１７の内面に形成される。すなわち、インクトラップ部９０は、撥液層７０が空間部１７の内面に形成されると共にその内側に吸収材８０が配置された構造となる。
【００２１】
なお、インクトラップ部９０の形成方法は、上述した方法に限定されず、例えば、空間部１７に撥液剤を塗布して撥液層を形成し、この撥液層でコーティングされた空間部に吸収材を搭載してもよい。
【００２２】
ここで、撥液層７０を形成する撥液剤としては、例えば、フッ素系樹脂、シリコーン系樹脂等から選択される少なくとも１種の撥液成分とアルコール（例えば、エーテル等）等とからなる溶液が挙げられるが、特にシリコーン系樹脂を含有した撥液剤を用いるのが好ましい。シリコーン系樹脂は、フッ素系樹脂に比べて耐インク性に優れているからである。なお、撥液成分を含有する撥液剤は、インクの種類に応じて適宜選定すればよく、上述したものに限定されない。
【００２３】
一方、吸収材８０としては、特に限定されないが、例えば、多孔質材料又は繊維材料等が挙げられ、具体的には、パルプ、合成繊維、乾式パルプ不織布等が挙げられる。なお、吸収材８０は、例えば、多孔質又は繊維質の材料を不織布等で覆った構造としてもよい。
【００２４】
また、空間部１７に対する吸収材８０の固定化方法としては、特に限定されないが、吸収材８０の寸法を空間部１７の寸法よりも若干大きくしておき、圧入等によって空間部１７に固定化するようにしてもよいし、吸収材８０の一部を空間部１７に対して接着剤によって固定化してもよい。これにより、印字時の震動等によって、空間部１７から吸収材８０が外れることがなく、インクトラップ効果を長期に亘って維持することができる。また、吸収材の圧入による空間部１７への固定化によれば、吸収材８０が圧入によって空間部１７の角部２００に付勢されるため、空間部の角部２００に撥液層７０が良好に形成されるという利点がある。なお、このように吸収材８０を圧入する際には、壁部１００の上端面に撥液剤が付着するように、撥液剤を含浸した吸収材８０の空間部１７に対して圧入にしてもよい。これにより、壁部１００の上端面に撥液層７０が形成され、インクトラップ効果を高めることができる。勿論、これに限定されず、壁部１００の上端面に撥液剤を別途塗布して撥液層７０を設けるようにしてもよい。
【００２５】
ここで、空間部１７に撥液層７０を設けずに吸収材８０のみを設けた場合には、吸収材８０によりインクが吸収されるので、ある程度のインクトラップ効果は期待できる。しかしながら、吸収材８０がインクを積極的に吸収することにもなり、インク吸収状態が短時間で飽和状態となり、逆に配線基板４０にインクが流出し易い状態となる危険性がある。一方、空間部１７に吸収材８０を設けずに撥液層７０のみを設けた場合には、ある程度、撥液層７０によって初期段階でインクを塞き止める効果は期待できるが、撥液層７０の劣化等が進行し易くなり、これによって撥液効果が低下していくと、最終的には撥液層７０を設けていない状態となるので、配線基板４０へのインク付着を有効に防止できない。
【００２６】
本実施形態は、撥液層７０と吸収材８０とを併用、具体的には、インクの流出経路に撥液層７０を介して吸収材８０を配置しているので、初期段階で撥液層７０によりインクの流れを塞き止め、それでも塞き止められずに流出するインクを吸収材８０により吸収して２段階トラップしているので、優れたインクトラップ効果が得られる。
【００２７】
以上説明したように、本実施形態のインクジェット式記録ヘッドユニット１０では、インクカートリッジ２０の着脱（抜き差し）を繰り返し行うことで流出する流出インクの流出経路に上述したインクトラップ部９０を設けるようにしたので、流出インクの流れを撥液層７０によって初期段階で塞き止めると共に、撥液層７０の撥液性能低下（例えば、劣化等）により撥液層７０を介して流出するインクを吸収材８０で吸収する、いわゆる２段階トラップにより、基板装着部１５に装着された配線基板４０にインクが付着することがなく、配線が短絡等するのを有効に防止することができる。特に、本実施形態の構造によれば、インクカートリッジ２０の着脱を繰り返し連続して行ったとしても、インクトラップ部９０によってインクを確実に止めることができる。
【００２８】
また、本実施形態のように、撥液剤を含浸した吸収材８０を未乾燥状態で空間部１７に設置する製造方法によれば、空間部１７内に撥液剤を塗布する工程を簡略化でき、撥液層を形成する作業性を向上することができる。
【００２９】
（他の実施形態）
以上本発明を一実施形態に基づいて説明したが、本発明は上述した一実施形態に限定されるものではない。例えば、上述した一実施形態では、液体としてインクを吐出するインクジェット式記録ヘッドを搭載したインクジェット式記録ヘッドユニットを例示して説明したが、本発明は、インクの種類は特に限定されず、例えば、水性インク、油性インク等の何れにも適用可能である。
【００３０】
また、上述した一実施形態のインクジェット式記録ヘッドユニットは、インクジェット式記録装置に搭載される。図５は、他の実施形態に係るインクジェット式記録装置の概略斜視図である。図５に示すように、本実施形態では、インクジェット式記録ヘッド３０である記録ヘッド本体を有するインクジェット式記録ヘッドユニット１０は、インク供給手段を構成するインクカートリッジ２０が着脱可能に設けられ、これらのインクジェット式記録ヘッド３０を搭載したキャリッジ３は、装置本体４に取り付けられたキャリッジ軸５に軸方向移動自在に設けられている。これらのインクジェット式記録ヘッド３０は、それぞれブラックインク組成物及びカラーインク組成物を吐出するものとしている。そして、駆動モータ６の駆動力が図示しない複数の歯車およびタイミングベルト７を介してキャリッジ３に伝達されることで、インクジェット式記録ヘッド３０を搭載したキャリッジ３はキャリッジ軸５に沿って移動される。一方、装置本体４にはキャリッジ軸５に沿ってプラテン８が設けられており、図示しない給紙ローラなどにより給紙された紙等の記録媒体である記録シートＳがプラテン８に巻き掛けられて搬送されるようになっている。このようなインクジェット式記録装置では、キャリッジ３がキャリッジ軸５に沿って移動されると共にインクジェット式記録ヘッド１によってインクが吐出されて記録シートＳに印刷される。
【００３１】
また、上述した一実施形態では、液体噴射ヘッドの一例としてインクジェット式記録ヘッド３０を例示して説明したが、本発明は広く液体噴射ヘッド全般を対象としたものであり、インク以外の液体を噴射する液体噴射ヘッドにも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材料噴射ヘッド、バイオｃｈｉｐ製造に用いられる生体有機物噴射ヘッド等が挙げられる。
【図面の簡単な説明】
【００３２】
【図１】一実施形態に係るカートリッジケース、ヘッドユニットの概略構成図。
【図２】一実施形態に係るカートリッジケース、ヘッドユニットの概略断面図。
【図３】一実施形態に係るカートリッジケースの要部拡大斜視図。
【図４】一実施形態に係るカートリッジケースの要部拡大斜視図。
【図５】他の実施形態に係るインクジェット式記録装置の概略斜視図。
【符号の説明】
【００３３】
１０  インクジェット式記録ヘッドユニット、  １１  カートリッジ装着部、  １２  カートリッジケース、  １３  ヘッド装着部、  １４  インク供給経路、  １５  基板装着部、  １６  貫通部、  １７  空間部、  ２０  インクカートリッジ、  ３０  インクジェット式記録ヘッド、  ４０  配線基板、  ５０  インク供給針、  ６０  フレキシブルプリント配線板、  ７０  撥液層、  ８０  吸収材、  ９０  インクトラップ部
【図１】
2007175988.tif 000003
【図２】
2007175988.tif 000004
【図３】
2007175988.tif 000005
【図４】
2007175988.tif 000006
【図５】
2007175988.tif 000007